(57)【要約】      （修正有）【課題】エアドアの開き角度を簡単に判断できると共に、調整操作が便利で、使用寿命を増加できるエアドアの駆動装置を提供する。【解決手段】エアドアの駆動装置は、本体１０と、駆動仕組みと、角度制限仕組みと、回路仕組みを有し、本体はケース１１及びカバー１２を備え、ケースは、２枚の外側板１３と、第一結合板１４と、第二結合板１５と、第三結合板１６を備える。駆動仕組みは、本体に結合され、駆動モータ２１及び駆動軸を備え、駆動モータは、ケースとカバーとの間に設置され、駆動軸は、駆動モータから第一結合板に向かって凸設される。角度制限仕組みは、本体及び駆動仕組みに結合され、ガイドボードと、２つの当接アーム３２と、２つの止めユニット３３と、指示針３４と、表示ボード３５を備える。回路仕組みは、駆動モータ及び２つの止めユニットと電気接続する複数の電気接続点を備える。【選択図】図２
0003216198.tif 000002
【実用新案登録請求の範囲】
【請求項１】
ケース及びカバーを備え、該ケースは、２枚の外側板と、第一結合板と、第二結合板と、第三結合板を備え、該２枚の外側板は、間隔をおいて設置され、該２枚の外側板の間に収容空間が形成され、前記第一結合板と第二結合板と第三結合板は、ケースの後端から前端へ順次に配列されると共に、２枚の外側板と結合するように収容空間に設置され、該カバーは、着脱可能にケースに組み合わされる、本体と、
前記本体に結合され、駆動モータ及び駆動軸を備え、該駆動モータは、ケースとカバーとの間且つ第二結合板と第三結合板の間に位置するように収容空間に設置され、第二結合板に結合され、該駆動軸は、駆動モータから第一結合板に向かって凸設され、第一結合板を通過して本体のケースの外部に突出する、駆動仕組みと、
前記本体及び駆動仕組みに結合され、ガイドボードと、２つの当接アームと、２つの止めユニットと、指示針と、表示ボードを備え、該ガイドボードは、第一結合板と第二結合板との間に位置するように駆動軸に環装され、該ガイドボードに案内溝部が形成され、該２つの当接アームは、移動可能にガイドボードの案内溝部に挿設され、該２つの止めユニットは、駆動モータの両側に位置するように第二結合板に固定され、該指示針は、第一結合板とケースの後端との間に位置すると共に、上方に延出してケースから突出するように、駆動軸の表面に固定され、該表示ボードは、第一結合板と表示ボードとの間に指示針を位置させるように、ケースの後端に固定結合され、指示針に向かった内側面に、角度表示スケールが設置される、角度制限仕組みと、
前記本体の収容空間に設置されると共に、第三結合板における第二結合板と反対する側に取り付けられ、前記駆動モータ及び２つの止めユニットと電気接続するための複数の電気接続点を備える、回路仕組みを有することを特徴とするエアドアの駆動装置。
【請求項２】
前記各当接アームは、Ｌ字形を呈するプレートであり、一端が第二結合板の開口に延出し、他端に結合孔が形成され、該結合孔に、第二結合板側からガイドボードを通過するファスナーが螺合され、該ファスナーにより当接アームをガイドボードの案内溝部に位置決めることを特徴とする請求項１に記載のエアドアの駆動装置。
【請求項３】
前記各当接アームの中段における案内溝部の近傍且つ第二結合板の一側に、補助リブが設けられ、該補助リブがガイドボードにおける第二結合板側に当接され、該補助リブにより当接アームをガイドボードの案内溝部に固定結合されることを特徴とする請求項２に記載のエアドアの駆動装置。
【請求項４】
前記各止めユニットにおける開口に向かった側に、当接シールが斜めに設けられ、
前記各当接アームは、ガイドボードを介して駆動軸と連動することにより、本体に対して回動して２つの止めユニットのうちの１つの止めユニットにおける当接シールに当接されることを特徴とする請求項３に記載のエアドアの駆動装置。
【請求項５】
前記ケースの一方の外側板に、ホコリ防止カバーが設置され、
前記回路仕組みの各電気接続点は、本体のホコリ防止カバーを通過して収容空間に配線されることを特徴とする請求項１乃至４の何れか１項に記載のエアドアの駆動装置。
【請求項６】
前記２枚の外側板におけるケースの後端の表面に、複数の凸部が設置され、
前記カバーにおける２つの自由端に、複数の凹部が形成され、前記ケースの２枚の外側板の凸部が凹部に係合されることにより、カバーをケースに固定することを特徴とする請求項５に記載のエアドアの駆動装置。
【請求項７】
前記第一結合板は、ケースの後端に位置するように、２枚の外側板に結合され、
前記第二結合板は、第一結合板の近傍に位置するように、２枚の外側板に結合され、上部に下方へいくにつれて狭くなる逆台形状の開口が形成され、
前記第三結合板は、ケースの前端に位置するように、２枚の外側板に結合され、
前記駆動モータは、第二結合板の開口の下方に位置し、
前記２つの止めユニットは、第二結合板の開口の近傍に位置することを特徴とする請求項６に記載のエアドアの駆動装置。
【請求項８】
前記ガイドボードの案内溝部は、第二結合板の開口に対応することを特徴とする請求項７に記載のエアドアの駆動装置。
【請求項９】
前記表示ボードの角度表示スケールの下部に、貫通穴が形成され、
前記駆動軸は、貫通穴を通過して表示ボードの外部に突出し、マシンのエアドアに結合されることを特徴とする請求項８に記載のエアドアの駆動装置。
【請求項１０】
前記２枚の外側板におけるケースの後端の表面に、複数の凸部が設置され、
前記カバーにおける２つの自由端に、複数の凹部が形成され、前記ケースの２枚の外側板の凸部が凹部に係合されることにより、カバーをケースに固定することを特徴とする請求項１乃至４の何れか１項に記載のエアドアの駆動装置。
【考案の詳細な説明】
【技術分野】
【０００１】
本考案は、特に調整可能及び判断可能な機能を備え、使用寿命を延長できるエアドアの駆動装置に関するものである。
【背景技術】
【０００２】
既存のエアドアの駆動装置は、エアドアの開き角度を制御するためのものであり、燃焼機などのマシンに組み合せてエアドアの開き角度を制御することができる。既存のエアドアの駆動装置を使用する時は、実際の開き角度を判断できないので、使用者の経験により駆動モータを制御してエアドアの開き角度を調整する。
【考案の概要】
【考案が解決しようとする課題】
【０００３】
しかしながら、既存のエアドアの駆動装置は、使用者の経験により空気進入量を制御するので、精確に制御することができなく、燃焼機などのマシンの燃焼効率が低下し、エネルギーも効率的に発生することができないため、使用上に不便であり、コストもかかる。また、既存のエアドアの駆動装置は、ホコリ防止または構造の強度に劣り、メンテナンスまたは交換作業が必要で作業時間がかかった。
【課題を解決するための手段】
【０００４】
本考案に係るエアドアの駆動装置は、
ケース及びカバーを備え、該ケースは、２枚の外側板と、第一結合板と、第二結合板と、第三結合板を備え、該２枚の外側板は、間隔をおいて設置され、該２枚の外側板の間に収容空間が形成され、前記第一結合板と第二結合板と第三結合板は、ケースの後端から前端へ順次に配列されると共に、２枚の外側板と結合するように収容空間に設置され、該カバーは、着脱可能にケースに組み合わされる、本体と、
前記本体に結合され、駆動モータ及び駆動軸を備え、該駆動モータは、ケースとカバーとの間且つ第二結合板と第三結合板の間に位置するように収容空間に設置され、第二結合板に結合され、該駆動軸は、駆動モータから第一結合板に向かって凸設され、第一結合板を通過して本体のケースの外部に突出する、駆動仕組みと、
前記本体及び駆動仕組みに結合され、ガイドボードと、２つの当接アームと、２つの止めユニットと、指示針と、表示ボードを備え、該ガイドボードは、第一結合板と第二結合板との間に位置するように駆動軸に環装され、該ガイドボードに案内溝部が形成され、該２つの当接アームは、移動可能にガイドボードの案内溝部に挿設され、該２つの止めユニットは、駆動モータの両側に位置するように第二結合板に固定され、該指示針は、第一結合板とケースの後端との間に位置すると共に、上方に延出してケースから突出するように、駆動軸の表面に固定され、該表示ボードは、第一結合板と表示ボードとの間に指示針を位置させるように、ケースの後端に固定結合され、指示針に向かった内側面に、角度表示スケールが設置される、角度制限仕組みと、
前記本体の収容空間に設置されると共に、第三結合板における第二結合板と反対する側に取り付けられ、前記駆動モータ及び２つの止めユニットと電気接続するための複数の電気接続点を備える、回路仕組みを有するものである。
【考案の効果】
【０００５】
本考案に係るエアドアの駆動装置は、上述した構成を有することから、以下のメリットを提供する。
１.  エアドアの開き角度を判断でき：
本考案に係るエアドアの駆動装置において、マシンの燃焼効果を調整する場合、駆動モータを駆動することにより、駆動軸を連動して本体に対して回動させ、これによれば、ガイドボードにある２つの当接アームが駆動軸と連動して本体に対して回動し、この同時、指示針も表示ボードに対して回動することから、使用者が指示針における表示ボードの角度表示スケールに対する角度を見れば、エアドアの開き角度を判断できるため、マシンの燃焼効果を適当に調整することができ、マシンの燃焼効果を有効に発揮すると共に、空気進入量を精確に制御できずにコストを増加する問題を防止できる。
【０００６】
２.  便利に調整可能：
本考案に係るエアドアの駆動装置を使用する時、使用者が実際の需要またはマシンのタイプに応じて、２つの当接アームがガイドボードに対する位置を調整することにより、２つの当接アームが２つの止めユニットに対する位置を調整することができる。その操作方法においては、当接アームのファスナーを緩むことにより、当接アームとガイドボードとの間に隙間を生じ、これによれば、当接アームを実際の需要によって案内溝部に沿ってガイドボードに対して移動させ、当接アームと止めユニットとの距離を調整し、駆動軸と結合したエアドアの開き角度を調整し、エアドアの駆動装置の実用性を向上させる。
【０００７】
３.  使用寿命の増加：
ケース１１にカバーが設置されることから、駆動仕組みと、角度制限仕組みと、回路仕組みをケース１１とカバーとの間に位置してケース及びカバーによりカバーすることができるため、外部のホコリや異物などを本体に入ることを防止できる。また、ホコリ防止カバーを有すれば、部材にホコリを溜まったり、破壊したりするなどの問題を防止できると共に、ホコリや異物などを本体に入ることも防止できる。さらに、各当接アームに補助リブが設けられることにより、当接アームの構成を強化し、使用する過程において、当接アームがぶつかって変形したり、破壊したりしても耐えられ、該補助リブがガイドボードに当接されることにより、当接アームをしっかりとガイドボードに固定することができる。このため、本考案に係るエアドアの駆動装置は、ホコリ防止及び構造の強化に優れるため、メンテナンスまたは交換作業を減少することができるので、使用寿命を延長できる。また、エアドアの開き角度を表示することができるので、使用上に非常に便利である。
【図面の簡単な説明】
【０００８】
【図１】本考案に係るエアドアの駆動装置の斜視図である。
【図２】本考案に係るエアドアの駆動装置の部分分解斜視図である。
【図３】本考案に係るエアドアの駆動装置の部分斜視図である。
【図４】本考案に係るエアドアの駆動装置の他の部分分解斜視図である。
【図５】本考案に係るエアドアの駆動装置の正面視説明図である。
【図６】本考案に係るエアドアの駆動装置の操作状態を示す前面視説明図である。
【図７】本考案に係るエアドアの駆動装置の調整状態を示す前面視説明図である。
【考案を実施するための形態】
【０００９】
図１乃至図４に示すように、本考案に係るエアドアの駆動装置は、本体１０と、駆動仕組み２０と、と、回路仕組み４０を有し、該駆動仕組み２０と、角度制限仕組み３０と、回路仕組み４０は、本体１０に取り付けられる。
【００１０】
前記本体１０は、ケース１１及びカバー１２を備え、該ケース１１は、方形のケースであり、２枚の外側板１３及び、複数の第一結合板１４、第二結合板１５、第三結合板１６を備え、該２枚の外側板１３は、直立状態で間隔をおいて設置され、該２枚の外側板１３との間に収容空間１７が形成され、前記第一結合板１４、第二結合板１５、第三結合板１６は、ケース１１の後端から前端への平行方向に配列すると共に、２枚の外側板１３と結合するように、収容空間１７に設置され、該第一結合板１４、第二結合板１５、第三結合板１６は、第一結合板１４、第二結合板１５、第三結合板１６であり、該第一結合板１４は、ケース１１の後端に位置するように、２枚の外側板１３に結合され、前記第二結合板１５は、第一結合板１４の近傍に位置するように、２枚の外側板１３に結合され、該第二結合板１５の上部に下方へいくにつれて狭くなる逆台形状の開口１５１が形成され、該第三結合板１６は、ケース１１の前端に位置するように、２枚の外側板１３に結合さる。前記ケース１１の一方の外側板１３に、ホコリ防止カバー１８が設置される。前記２枚の外側板１３におけるケース１１の後端の表面に、複数の凸部１９が設置されることが好ましい。
前記カバー１２は、Ｕ字形を呈し、ケース１１の前端から後端にカバーするように、着脱可能にケース１１に組み合わされる。
【００１１】
前記収容空間１７は、カバー１２とケース１１との間に形成され、前記第一結合板１４、第二結合板１５、第三結合板１６は、カバー１２とケース１１との間に配置され、前記カバー１２における２つの自由端に、複数の凹部１２１が形成され、それらの凹部１２１がケース１１の２枚の外側板１３の凸部１９に係合されることにより、カバー１２をケース１１に固定する。
【００１２】
図３及び図４に示すように、前記駆動仕組み２０は、ケース１１とカバー１２との間に位置するように、本体１０に結合され、駆動モータ２１及び駆動軸２２を備え、該駆動モータ２１は、ケース１１の第二結合板１５に固定結合するように収容空間１７に設置され、このため、該駆動モータ２１は、第二結合板１５と第三結合板１６の間に位置すると共に、第二結合板１５の開口１５１の下方に位置し、該駆動軸２２は、駆動モータ２１から第一結合板１４に向かって凸設され、第一結合板１４を通過して本体１０のケース１１の外部に突出し、駆動モータ２１と連動することにより、本体１０に対して回動する。前記駆動モータ２１は、サーボモーターである。
図３及び図４に示すように、前記角度制限仕組み３０は、本体１０及び駆動仕組み２０に結合され、ガイドボード３１と、２つの当接アーム３２と、２つの止めユニット３３と、指示針３４と、表示ボード３５を備え、該ガイドボード３１は、第一結合板１４と第二結合板１５との間に位置するように本体１０の収容空間１７に設置され、また、駆動軸２２と連動するように該駆動軸２２に環装され、これによれば、該ガイドボード３１における第二結合板１５の開口１５１の上半部に、弧状の案内溝部３１１が形成され、該２つの当接アーム３２は、移動可能にガイドボード３１の案内溝部３１１に挿設される。
【００１３】
図４に示すように、前記各当接アーム３２は、Ｌ字形を呈するプレートであり、一端が第二結合板１５の開口１５１に延出し、他端に結合孔３２１が形成され、該第二結合板１５側からガイドボード３１を通過して結合孔３２１にファスナー３２２が螺合され、該ファスナー３２２により当接アーム３２をガイドボード３１の案内溝部３１１に位置決める。図３に示すように、前記各当接アーム３２の中段における案内溝部３１１の近傍且つ第二結合板１５側に、補助リブ３２３が設けられ、該補助リブ３２３により当接アーム３２の構造を強化することができ、使用する過程において、当接アーム３２がぶつかって変形したり、破壊したりしても耐えられ、該補助リブ３２３がガイドボード３１に当接されることにより、当接アーム３２をガイドボード３１の案内溝部３１１に固定結合することが好ましい。
【００１４】
図３及び図５に示すように、前記２つの止めユニット３３は、第二結合板１５における駆動モータ２１側に固定され、第二結合板１５の開口１５１の近傍及び駆動モータ２１の両側に位置し、前記各止めユニット３３における開口１５１に向かった側に、当接シール３３１が斜めに設けられ、前記各当接アーム３２は、ガイドボード３１を介して駆動軸２２と連動することにより、本体１０に対して回動して何れかの１つの止めユニット３３の当接シール３３１に当接される。前記指示針３４は、第一結合板１４とケース１１の後端との間に位置すると共に、上方に延出してケース１１から突出するように、駆動軸２２の表面に固定され、これによれば、該指示針３４が駆動軸２２と連動して本体１０に対して回動することができる。
前記表示ボード３５は、指示針３４を第一結合板１４と表示ボード３５との間に位置させるように、ケース１１の後端に固定結合され、指示針３４に向かった内側面の上半部に、角度表示スケール３５１が設置され、これによれば、指示針３４における角度表示スケール３５１に対する位置により、駆動軸２２と結合するエアドアの開き角度を判断でき、前記表示ボード３５の角度表示スケール３５１の下部に、貫通穴３５２が形成され、前記駆動軸２２は、貫通穴３５２を通過して表示ボード３５の外部に突出し、マシンのエアドアに結合される。
【００１５】
前記回路仕組み４０は、本体１０の収容空間１７に設置されると共に、第三結合板１６における第二結合板１５と反対する側に取り付けられ、前記駆動モータ２１及び２つの止めユニット３３と電気接続するための電気接続点４１を備え、該各電気接続点４１は、本体１０のホコリ防止カバー１８を通過して収容空間１７に配線される。
【００１６】
図１及び図６に示すように、本考案に係るエアドアの駆動装置を使用する場合、表示ボード３５及び本体１０が燃焼機などのマシンに組み合わされ、駆動仕組み２０が駆動軸２２を介してエアドアと連動して結合され、これによれば、駆動軸２２の回動によりエアドアをマシンに対して回動させることにより、空気進入量を制御することができる。使用者が空気進入量を制御する時、駆動モータ２１を駆動することにより、駆動軸２２を連動して本体１０に対して回動させ、これによれば、ガイドボード３１にある２つの当接アーム３２が駆動軸２２と連動して本体１０に対して回動し(図６に示すように、時計回りに回動した状態)、これと同時に、指示針３４も表示ボード３５に対して回動することから、使用者が指示針３４における表示ボード３５の角度表示スケール３５１に対する角度を見れば、エアドアの開き角度を判断できるため、マシンに精確にエネルギーを発生させ、マシンの燃焼効果を有効に発揮すると共に、空気進入量を精確に制御できずにコストを増加する問題を防止できる。
【００１７】
図４及び図７に示すように、使用者が実際の需要またはマシンのタイプに応じて、２つの当接アーム３２がガイドボード３１に対する位置を調整することにより、２つの当接アーム３２が２つの止めユニット３３に対する位置を調整することができる。操作方法において、当接アーム３２のファスナー３２２を緩むことにより、当接アーム３２とガイドボード３１との間に隙間を生じ、これによれば、当接アーム３２を実際の需要によって案内溝部３１１に沿ってガイドボード３１に対して移動させ、当接アーム３２と止めユニット３３との距離を調整し、駆動軸２２と結合したエアドアの開き角度を調整し、エアドアの駆動装置の実用性を向上させる。
【００１８】
一方、前記ケース１１にカバー１２が設置されることから、駆動仕組み２０と、角度制限仕組み３０と、回路仕組み４０をケース１１とカバー１２との間に位置してケース１１及びカバー１２によりカバーすることができ、外部のホコリや異物などを本体１０に入ることを防止できる。また、ホコリ防止カバー１８を有すれば、部材にホコリを溜まったり、破壊したりするなどの問題を防止できると共に、ホコリや異物などを本体１０に入ることも防止できる。
【００１９】
さらに、前記各当接アーム３２に補助リブ３２３が設けられることにより、当接アーム３２の構成を強化し、使用する過程において、当接アーム３２がぶつかって変形したり、破壊したりしても耐えられ、該補助リブ３２３がガイドボード３１に当接されることにより、当接アーム３２をしっかりとガイドボード３１に固定することができる。このため、本考案に係るエアドアの駆動装置は、ホコリ防止及び構造の強化に優れるため、メンテナンスまたは交換作業を減少することができるので、使用寿命を延長できる。また、エアドアの開き角度を表示することができるので、使用上に非常に便利である。
【符号の説明】
【００２０】
１０    本体
１１    ケース
１２    カバー
１３    外側板
１４    第一結合板
１５    第二結合板
１６    第三結合板
１７    収容空間
２０    駆動仕組み
２１    駆動モータ
２２    駆動軸
３０    角度制限仕組み
３１    ガイドボード
３２    当接アーム
３３    止めユニット
３４    指示針
３５    表示ボード
４０    回路仕組み
４１    電気接続点
【図１】
0003216198.tif 000003
【図２】
0003216198.tif 000004
【図３】
0003216198.tif 000005
【図４】
0003216198.tif 000006
【図５】
0003216198.tif 000007
【図６】
0003216198.tif 000008
【図７】
0003216198.tif 000009